(57)【要約】【課題】通信品質の劣化を抑制して通信品質の向上を図りながら利用者が手などに持って容易に操作し得るように構成した電界通信携帯端末を提供する。【解決手段】ディスプレイ、コンピュータを備えたディスプレイ部５と、操作キー、電界通信トランシーバを備えた操作キー部９と、送受信電極とが回転軸１３で連結されて互いに重なり合った第１の状態から回転軸１３を中心にディスプレイ３を回動させて操作キー部９から離して重ならないように開き、送受信電極部１１を回転軸１３を中心に回動させて操作キー部９から離して重ならないように開き、このように開かれた送受信電極部１１を利用者が手などで把持して操作する。【選択図】図１
2005303922.tif 000002
【特許請求の範囲】
【請求項１】
送受信データを電界として電界伝達媒体に誘起して通信を行う電界通信携帯端末であって、
電界通信を行う電界通信トランシーバおよび情報処理を行うコンピュータのいずれか一方または両方と情報の表示を行うディスプレイとを含むかまたは情報の表示を行うディスプレイのみを含む第１の回路要素を備えたディスプレイ部と、
ディスプレイ部が前記電界通信トランシーバを含むときはコンピュータを、前記コンピュータを含むときは電界通信トランシーバを含むと共に情報を入力する操作キーを含むかまたはディスプレイ部が情報の表示を行うディスプレイのみを含むときは前記電界通信トランシーバおよびコンピュータの両方と情報を入力する操作キーとを含むかまたはディスプレイ部が前記電界通信トランシーバとコンピュータの両方を含むときには情報を入力する操作キーのみを含み、前記第１の回路要素に接続された第２の回路要素を備えた操作キー部と、
前記電界通信トランシーバに接続された送受信電極を備えた送受信電極部と、
ディスプレイ部、操作キー部および送受信電極部を互いに重なり合わせた第１の状態に設定し得るとともに、この第１の状態からディスプレイ部、操作キー部および送受信電極部をそれぞれ一端または両端を連結した状態で互いにほぼ重ならない第２の状態に設定し得るようにディスプレイ部、操作キー部および送受信電極部を連続的に支持する連結支持手段と
を有することを特徴とする電界通信携帯端末。
【請求項２】
前記連結支持手段は、ディスプレイ部、操作キー部および送受信電極部のそれぞれの一端を回動自在に連結する連結手段を有することを特徴とする請求項１記載の電界通信携帯端末。
【請求項３】
前記連結支持手段は、操作キー部の一端にディスプレイ部の一端を回動自在に連結する第１の連結手段と、操作キー部の他端に送受信電極部の一端を回動自在に連結する第２の連結手段とを有することを特徴とする請求項１記載の電界通信携帯端末。
【請求項４】
送受信データを電界として電界伝達媒体に誘起して通信を行う電界通信携帯端末であって、
情報の表示を行うディスプレイおよび情報を入力する入力手段の両方またはいずれか一方と、情報処理を行うコンピュータおよび電界通信を行う電界通信トランシーバを備えたディスプレイ兼入力部と、
前記電界通信トランシーバに接続された送受信電極を備えた送受信電極部と、
前記ディスプレイ兼入力部および送受信電極部を互いに重なり合わせた第１の状態に設定し得るとともに、この第１の状態からディスプレイ兼入力部および送受信電極部をそれぞれ一端を連結した状態で互いにほぼ重ならない第２の状態に設定し得るようにディスプレイ兼入力部および送受信電極部を連結的に支持する連結支持手段と
を有することを特徴とする電界通信携帯端末。
【請求項５】
送受信データを電界として電界伝達媒体に誘起して通信を行う電界通信携帯端末であって、
電界通信を行う電界通信トランシーバおよび情報処理を行うコンピュータのいずれか一方または両方と情報の表示を行うディスプレイとを含むかまたは情報の表示を行うディスプレイのみを含む第１の回路要素を備えたディスプレイ部と、
ディスプレイ部が前記電界通信トランシーバを含むときはコンピュータを、前記コンピュータを含むときは電界通信トランシーバを含むと共に情報を入力する操作キーを含むかまたはディスプレイ部が情報の表示を行うディスプレイのみを含むときは前記電界通信トランシーバおよびコンピュータの両方と情報を入力する操作キーとを含むかまたはディスプレイ部が前記電界通信トランシーバとコンピュータの両方を含むときには情報を入力する操作キーのみを含み、前記第１の回路要素に接続された第２の回路要素を備えた操作キー部と、
前記電界通信トランシーバに接続された送受信電極を備えた送受信電極部と、
操作キー部の上側にディスプレイ部が重なり、操作キー部の下側に送受信電極部が重なるようにディスプレイ部、操作キー部および送受信電極部が互いに重なり合った同じ側のそれぞれの一端に設けられ、この重なり合ったディスプレイ部、操作キー部および送受信電極部が互いにほぼ重ならない状態に移動し得るように前記一端を中心に回動自在に連結支持する連結支持手段と
を有することを特徴とする電界通信携帯端末。
【請求項６】
送受信データを電界として電界伝達媒体に誘起して通信を行う電界通信携帯端末であって、
電界通信を行う電界通信トランシーバおよび情報処理を行うコンピュータのいずれか一方または両方と情報の表示を行うディスプレイとを含むかまたは情報の表示を行うディスプレイのみを含む第１の回路要素を備えたディスプレイ部と、
ディスプレイ部が前記電界通信トランシーバを含むときはコンピュータを、前記コンピュータを含むときは電界通信トランシーバを含むと共に情報を入力する操作キーを含むかまたはディスプレイ部が情報の表示を行うディスプレイのみを含むときは前記電界通信トランシーバおよびコンピュータの両方と情報を入力する操作キーとを含むかまたはディスプレイ部が前記電界通信トランシーバとコンピュータの両方を含むときには情報を入力する操作キーのみを含み、前記第１の回路要素に接続された第２の回路要素を備えた操作キー部と、
前記電界通信トランシーバに接続された送受信電極を備えた送受信電極部と、
ディスプレイ部が操作キー部の上側に重なる状態とディスプレイ部が操作キー部の上側から離れてほぼ重ならない状態になるように操作キー部の一端にディスプレイ部の一端を回動自在に連結させる第１の連結手段と、
送受信電極部が操作キー部の下側に重なる状態と送受信電極が操作キー部の下側から離れてほぼ重ならない状態になるように操作キー部の他端に送受信電極部の一端を回動自在に連結させる第２の連結手段と
を有することを特徴とする電界通信携帯端末。
【請求項７】
送受信データを電界として電界伝達媒体に誘起して通信を行う電界通信携帯端末であって、
電界通信を行う電界通信トランシーバおよび情報処理を行うコンピュータのいずれか一方または両方と情報の表示を行うディスプレイとを含むかまたは情報の表示を行うディスプレイのみを含む第１の回路要素を備えたディスプレイ部と、
ディスプレイ部が前記電界通信トランシーバを含むときはコンピュータを、前記コンピュータを含むときは電界通信トランシーバを含むと共に情報を入力する操作キーを含むかまたはディスプレイ部が情報の表示を行うディスプレイのみを含むときは前記電界通信トランシーバおよびコンピュータの両方と情報を入力する操作キーとを含むかまたはディスプレイ部が前記電界通信トランシーバとコンピュータの両方を含むときには情報を入力する操作キーのみを含み、前記第１の回路要素に接続された第２の回路要素を備えた操作キー部と、
前記電界通信トランシーバに接続された送受信電極を備えた送受信電極部と、
ディスプレイ部が操作キー部の上側に重なる状態とディスプレイ部が操作キー部の上側から離れてほぼ重ならない状態になるように操作キー部の一端にディスプレイ部の一端を回動自在に連結させる第１の連結手段と、
送受信電極部が操作キー部の下側に重なっている状態から送受信電極部が操作キー部の下面に沿ってスライドして操作キー部の下側から離れてほぼ重ならない状態になるように送受信電極部を操作キー部の下側にスライド自在に連結させる第２の連結手段と
を有することを特徴とする電界通信携帯端末。
【請求項８】
送受信データを電界として電界伝達媒体に誘起して通信を行う電界通信携帯端末であって、
電界通信を行う電界通信トランシーバおよび情報処理を行うコンピュータのいずれか一方または両方と情報の表示を行うディスプレイとを含むかまたは情報の表示を行うディスプレイのみを含む第１の回路要素を備えたディスプレイ部と、
ディスプレイ部が前記電界通信トランシーバを含むときはコンピュータを、前記コンピュータを含むときは電界通信トランシーバを含むと共に情報を入力する操作キーを含むかまたはディスプレイ部が情報の表示を行うディスプレイのみを含むときは前記電界通信トランシーバおよびコンピュータの両方と情報を入力する操作キーとを含むかまたはディスプレイ部が前記電界通信トランシーバとコンピュータの両方を含むときには情報を入力する操作キーのみを含み、前記第１の回路要素に接続された第２の回路要素を備えた操作キー部と、
前記電界通信トランシーバに接続された第１および第２の送受信電極を備えた第１および第２の送受信電極部と、
ディスプレイ部が操作キー部の上側に重なる状態とディスプレイ部が操作キー部の上側から離れてほぼ重ならない状態になるように操作キー部の一端にディスプレイ部の一端を回動自在に連結させる第１の連結手段と、
第１および第２の送受信電極部が操作キー部の下側に重なっている状態から第１および第２の送受信電極部が操作キー部の下面に沿って互いに反対方向にスライドして操作キー部の下側から離れてほぼ重ならない状態になるように第１および第２の送受信電極部を操作キー部の下側にスライド自在に連結させる第２の連結手段と
を有することを特徴とする電界通信携帯端末。
【請求項９】
送受信データを電界として電界伝達媒体に誘起して通信を行う電界通信携帯端末であって、
電界通信を行う電界通信トランシーバおよび情報処理を行うコンピュータのいずれか一方または両方と情報の表示を行うディスプレイとを含むかまたは情報の表示を行うディスプレイのみを含む第１の回路要素を備えたディスプレイ部と、
ディスプレイ部が前記電界通信トランシーバを含むときはコンピュータを、前記コンピュータを含むときは電界通信トランシーバを含むと共に情報を入力する操作キーを含むかまたはディスプレイ部が情報の表示を行うディスプレイのみを含むときは前記電界通信トランシーバおよびコンピュータの両方と情報を入力する操作キーとを含むかまたはディスプレイ部が前記電界通信トランシーバとコンピュータの両方を含むときには情報を入力する操作キーのみを含み、前記第１の回路要素に接続された第２の回路要素を備えた操作キー部と、
前記電界通信トランシーバに接続された第１および第２の送受信電極を備えた第１および第２の送受信電極部と、
ディスプレイ部が操作キー部の上側に重なる状態とディスプレイ部が操作キー部の上側から離れてほぼ重ならない状態になるように操作キー部の一端にディスプレイ部の一端を回動自在に連結させる第１の連結手段と、
操作キー部の前記一端を含まない対向する端部の一方に第１の送受信電極部の一端を回動自在に連結し、前記対向する端部の他方に第２の送受信電極部の一端を回動自在に連結し、第１および第２の送受信電極部が操作キー部の下側に重なっている状態から第１および第２の送受信電極部が操作キー部の下側から離れてほぼ重ならない状態になるように操作キー部の前記対向する端部に第１および第２の送受信電極部の一端を回動自在に連結させる第２の連結手段と
を有することを特徴とする電界通信携帯端末。
【請求項１０】
送受信データを電界として電界伝達媒体に誘起して通信を行う電界通信携帯端末であって、
情報の表示を行うディスプレイおよび情報を入力する入力手段の両方またはいずれか一方と、情報処理を行うコンピュータおよび電界通信を行う電界通信トランシーバを備えたディスプレイ兼入力部と、
前記電界通信トランシーバに接続された送受信電極を備えた送受信電極部と、
送受信電極部がディスプレイ兼入力部の下側に重なっている状態から送受信電極部がディスプレイ兼入力部の下面に沿ってスライドしてディスプレイ兼入力部の下側から離れてほぼ重ならない状態になるように送受信電極部をディスプレイ兼入力部の下側にスライド自在に連結させる連結手段と
を有することを特徴とする電界通信携帯端末。
【請求項１１】
送受信データを電界として電界伝達媒体に誘起して通信を行う電界通信携帯端末であって、
情報の表示を行うディスプレイおよび情報を入力する入力手段の両方またはいずれか一方と、情報処理を行うコンピュータおよび電界通信を行う電界通信トランシーバを備えたディスプレイ兼入力部と、
前記電界通信トランシーバに接続された第１および第２の送受信電極を備えた第１および第２の送受信電極部と、
第１および第２の送受信電極部がディスプレイ兼入力部の下側に重なっている状態から第１および第２の送受信電極部がディスプレイ兼入力部の下面に沿って互いに反対方向にスライドしてディスプレイ兼入力部の下側から離れてほぼ重ならない状態になるように第１および第２の送受信電極部をディスプレイ兼入力部の下側にスライド自在に連結させる連結手段と
を有することを特徴とする電界通信携帯端末。
【請求項１２】
送受信データを電界として電界伝達媒体に誘起して通信を行う電界通信携帯端末であって、
情報の表示を行うディスプレイおよび情報を入力する入力手段の両方またはいずれか一方と、情報処理を行うコンピュータおよび電界通信を行う電界通信トランシーバを備えたディスプレイ兼入力部と、
前記電界通信トランシーバに接続された第１および第２の送受信電極を備えた第１および第２の送受信電極部と、
ディスプレイ兼入力部の対向する端部の一方に第１の送受信電極部の一端を回動自在に連結し、前記対向する端部の他方に第２の送受信電極部の一端を回動自在に連結し、第１および第２の送受信電極部がディスプレイ兼入力部の下側に重なっている状態から第１および第２の送受信電極部がディスプレイ兼入力部の下側から離れてほぼ重ならない状態になるようにディスプレイ兼入力部の前記対向する端部に第１および第２の送受信電極部の一端を回動自在に連結させる連結手段と
を有することを特徴とする電界通信携帯端末。
【請求項１３】
前記送受信電極部がほぼ重ならない状態になったとき、各回路要素に動作電力を供給すべく投入される電源スイッチを有することを特徴とする請求項１乃至１２のいずれか１項に記載の電界通信携帯端末。
【請求項１４】
送受信データを電界として電界伝達媒体に誘起して通信を行う電界通信携帯端末であって、
情報の表示を行うディスプレイおよび情報を入力する入力手段の両方またはいずれか一方と、情報処理を行うコンピュータおよび電界通信を行う電界通信トランシーバを備えたディスプレイ兼入力部と、
送受信電極を備えた送受信電極部と、
該送受信電極部がディスプレイ兼入力部にほぼ重ならないように送受信電極部をディスプレイ兼入力部に着脱自在に結合することにより送受信電極部の送受信電極を電界通信トランシーバに接続する結合手段と
を有することを特徴とする電界通信携帯端末。
【請求項１５】
前記送受信電極部をディスプレイ兼入力部に結合したときに、各回路要素に動作電力を供給すべく投入される電源スイッチを有することを特徴とする請求項１４記載の電界通信携帯端末。
【発明の詳細な説明】
【技術分野】
【０００１】
本発明は、送受信データを電界として例えば人体などの電界伝達媒体に誘起して通信を行う電界通信携帯端末に関し、更に詳しくは、例えば携帯電話やゲーム機などのように利用者が手などに持って簡単に操作できるような電界通信携帯端末に関する。
【背景技術】
【０００２】
電界伝達媒体である例えば人体に電界を誘起し、この誘起された電界を用いてデータ通信を行う電界データ通信装置が提案されている（例えば、特許文献１参照）。
【０００３】
このような電界データ通信装置を適用して、例えば携帯電話やゲーム機などのように人間が手などに持ちながら簡単に操作できる小型の電界通信携帯端末の商品化が要望されている。このような電界通信携帯端末を手などに持って操作すると、この電界通信携帯端末から人体に誘起される電界を打ち消す逆向きの電界が回路グランドから人体に混入したり、電界通信携帯端末内蔵の電子回路やディスプレイから発生する不要な電磁波が人体に混入して通信品質が劣化することがある。
【０００４】
詳しくは、図１９に示すように、利用者３００が電界通信を行う場合の生体上の電界モデルについて説明する。
【０００５】
図１９に示すように、利用者３００が一方の手に送信器３０１を持ち、他方の手に受信器３０３をもって大地グランド３０５上に立っている状態においては、送信器３０１の信号電極３０１ａから利用者３００の身体に対しては符号ａで示すように電界が入力され、送信器３０１のグランド電極３０１ｂから利用者３００の身体に対して符号ｂで示すように逆向きの電界が入力される。
【０００６】
また、送信器３０１のグランド電極３０１ｂから大地グランド３０５に対しては符号ｃで示すように電界が入力され、利用者３００の身体から大気を介して大地グランド３０５には符号ｄで示すように電界が入力される。更に、利用者３００の身体から靴などを介して大地グランド３０５に符号ｅで示すように電界が入力され、利用者３００の身体から受信器３０３に対して符号ｆで示すように電界が入力され、受信器３０３から大地グランド３０５に対して符号ｇで示すように電界が入力される。
【０００７】
上述したように、送信器３０１の信号電極３０１ａからからの電界は、符号ａで示すように利用者３００の身体に入力され、この電界は利用者３００の身体から符号ｆで示すように受信器３０３に入力されるが、この場合において送信器３０１のグランド電極３０１ｂから利用者３００の身体に対して符号ｂで示すように逆向きの電界が入力されるため、符号ａで示す信号電極３０１ａからの電界が符号ｂで示す逆向きの電界で打ち消され、電界が小さくなるという問題があるとともに、利用者３００の身体に誘起された電界は、特に大地グランド３０５に近い利用者３００の足を通じて大地グランド３０５に逃げてしまい、電界通信を行いにくいという問題がある。
【特許文献１】特願２００２−１２７３６６号
【発明の開示】
【発明が解決しようとする課題】
【０００８】
上述したように、電界通信携帯端末を手などに持って操作すると、電界通信携帯端末から人体に誘起される電界を打ち消す逆向きの電界が回路グランドから人体に混入して電界を小さくしたり、人体に誘起された電界が大地グランドに近い足などを通じて大地グランドに逃げてしまい、電界通信を行い難くするとともに、電界通信携帯端末内蔵の電子回路やディスプレイから発生する不要な電磁波が人体に混入して通信品質が劣化するという問題がある。
【０００９】
本発明は、上記に鑑みてなされたもので、その目的とするところは、通信品質の劣化を抑制して通信品質の向上を図りながら利用者が手などに持って容易に操作し得るように構成した電界通信携帯端末を提供することにある。
【課題を解決するための手段】
【００１０】
請求項１記載の本発明の電界通信携帯端末は、送受信データを電界として電界伝達媒体に誘起して通信を行う電界通信携帯端末であって、電界通信を行う電界通信トランシーバおよび情報処理を行うコンピュータのいずれか一方または両方と情報の表示を行うディスプレイとを含むかまたは情報の表示を行うディスプレイのみを含む第１の回路要素を備えたディスプレイ部と、
ディスプレイ部が前記電界通信トランシーバを含むときはコンピュータを、前記コンピュータを含むときは電界通信トランシーバを含むと共に情報を入力する操作キーを含むかまたはディスプレイ部が情報の表示を行うディスプレイのみを含むときは前記電界通信トランシーバおよびコンピュータの両方と情報を入力する操作キーとを含むかまたはディスプレイ部が前記電界通信トランシーバとコンピュータの両方を含むときには情報を入力する操作キーのみを含み、前記第１の回路要素に接続された第２の回路要素を備えた操作キー部と、前記電界通信トランシーバに接続された送受信電極を備えた送受信電極部と、ディスプレイ部、操作キー部および送受信電極部を互いに重なり合わせた第１の状態に設定し得るとともに、この第１の状態からディスプレイ部、操作キー部および送受信電極部をそれぞれ一端または両端を連結した状態で互いにほぼ重ならない第２の状態に設定し得るようにディスプレイ部、操作キー部および送受信電極部を連続的に支持する連結支持手段とを有することを要旨とする。
【００１１】
請求項２記載の本発明の電界通信携帯端末は、前記連結支持手段は、ディスプレイ部、操作キー部および送受信電極部のそれぞれの一端を回動自在に連結する連結手段を有することを要旨とする。
【００１２】
請求項３記載の本発明の電界通信携帯端末は、前記連結支持手段は、操作キー部の一端にディスプレイ部の一端を回動自在に連結する第１の連結手段と、操作キー部の他端に送受信電極部の一端を回動自在に連結する第２の連結手段とを有することを要旨とする。
【００１３】
請求項４記載の本発明の電界通信携帯端末は、送受信データを電界として電界伝達媒体に誘起して通信を行う電界通信携帯端末であって、情報の表示を行うディスプレイおよび情報を入力する入力手段の両方またはいずれか一方と、情報処理を行うコンピュータおよび電界通信を行う電界通信トランシーバを備えるかまたは情報処理を行うコンピュータおよび電界通信を行う電界通信トランシーバのみを備えたディスプレイ兼入力部と、前記電界通信トランシーバに接続された送受信電極を備えた送受信電極部と、前記ディスプレイ兼入力部および送受信電極部を互いに重なり合わせた第１の状態に設定し得るとともに、この第１の状態からディスプレイ兼入力部および送受信電極部をそれぞれ一端を連結した状態で互いにほぼ重ならない第２の状態に設定し得るようにディスプレイ兼入力部および送受信電極部を連結的に支持する連結支持手段とを有することを要旨とする。
【００１４】
請求項５記載の本発明の電界通信携帯端末は、送受信データを電界として電界伝達媒体に誘起して通信を行う電界通信携帯端末であって、電界通信を行う電界通信トランシーバおよび情報処理を行うコンピュータのいずれか一方または両方と情報の表示を行うディスプレイとを含むかまたは情報の表示を行うディスプレイのみを含む第１の回路要素を備えたディスプレイ部と、ディスプレイ部が前記電界通信トランシーバを含むときはコンピュータを、前記コンピュータを含むときは電界通信トランシーバを含むと共に情報を入力する操作キーを含むかまたはディスプレイ部が情報の表示を行うディスプレイのみを含むときは前記電界通信トランシーバおよびコンピュータの両方と情報を入力する操作キーとを含むかまたはディスプレイ部が前記電界通信トランシーバとコンピュータの両方を含むときには情報を入力する操作キーのみを含み、前記第１の回路要素に接続された第２の回路要素を備えた操作キー部と、前記電界通信トランシーバに接続された送受信電極を備えた送受信電極部と、操作キー部の上側にディスプレイ部が重なり、操作キー部の下側に送受信電極部が重なるようにディスプレイ部、操作キー部および送受信電極部が互いに重なり合った同じ側のそれぞれの一端に設けられ、この重なり合ったディスプレイ部、操作キー部および送受信電極部が互いにほぼ重ならない状態に移動し得るように前記一端を中心に回動自在に連結支持する連結支持手段とを有することを要旨とする。
【００１５】
請求項６記載の本発明の電界通信携帯端末は、送受信データを電界として電界伝達媒体に誘起して通信を行う電界通信携帯端末であって、電界通信を行う電界通信トランシーバおよび情報処理を行うコンピュータのいずれか一方または両方と情報の表示を行うディスプレイとを含むかまたは情報の表示を行うディスプレイのみを含む第１の回路要素を備えたディスプレイ部と、ディスプレイ部が前記電界通信トランシーバを含むときはコンピュータを、前記コンピュータを含むときは電界通信トランシーバを含むと共に情報を入力する操作キーとを含むかまたはディスプレイ部が情報の表示を行うディスプレイのみを含むときは前記電界通信トランシーバおよびコンピュータの両方と情報を入力する操作キーとを含むかまたはディスプレイ部が前記電界通信トランシーバとコンピュータの両方を含むときには情報を入力する操作キーのみを含み、前記第１の回路要素に接続された第２の回路要素を備えた操作キー部と、前記電界通信トランシーバに接続された送受信電極を備えた送受信電極部と、ディスプレイ部が操作キー部の上側に重なる状態とディスプレイ部が操作キー部の上側から離れてほぼ重ならない状態になるように操作キー部の一端にディスプレイ部の一端を回動自在に連結させる第１の連結手段と、送受信電極部が操作キー部の下側に重なる状態と送受信電極が操作キー部の下側から離れてほぼ重ならない状態になるように操作キー部の他端に送受信電極部の一端を回動自在に連結させる第２の連結手段とを有することを要旨とする。
【００１６】
請求項７記載の本発明の電界通信携帯端末は、送受信データを電界として電界伝達媒体に誘起して通信を行う電界通信携帯端末であって、電界通信を行う電界通信トランシーバおよび情報処理を行うコンピュータのいずれか一方または両方と情報の表示を行うディスプレイとを含むかまたは情報の表示を行うディスプレイのみを含む第１の回路要素を備えたディスプレイ部と、前記ディスプレイ部が前記電界通信トランシーバを含むときはコンピュータを、前記コンピュータを含むときは電界通信トランシーバを含むと共に情報を入力する操作キーを含むかまたはディスプレイ部が情報の表示を行うディスプレイのみを含むときは前記電界通信トランシーバおよびコンピュータの両方と情報を入力する操作キーとを含むかまたはディスプレイ部が前記電界通信トランシーバとコンピュータの両方を含むときには情報を入力する操作キーのみを含み、前記第１の回路要素に接続された第２の回路要素を備えた操作キー部と、前記電界通信トランシーバに接続された送受信電極を備えた送受信電極部と、ディスプレイ部が操作キー部の上側に重なる状態とディスプレイ部が操作キー部の上側から離れてほぼ重ならない状態になるように操作キー部の一端にディスプレイ部の一端を回動自在に連結させる第１の連結手段と、送受信電極部が操作キー部の下側に重なっている状態から送受信電極部が操作キー部の下面に沿ってスライドして操作キー部の下側から離れてほぼ重ならない状態になるように送受信電極部を操作キー部の下側にスライド自在に連結させる第２の連結手段とを有することを要旨とする。
【００１７】
請求項８記載の本発明の電界通信携帯端末は、送受信データを電界として電界伝達媒体に誘起して通信を行う電界通信携帯端末であって、電界通信を行う電界通信トランシーバおよび情報処理を行うコンピュータのいずれか一方または両方と情報の表示を行うディスプレイとを含むかまたは情報の表示を行うディスプレイのみを含む第１の回路要素を備えたディスプレイ部と、
ディスプレイ部が前記電界通信トランシーバを含むときはコンピュータを、前記コンピュータを含むときは電界通信トランシーバを含むと共に情報を入力する操作キーを含むかまたはディスプレイ部が情報の表示を行うディスプレイのみを含むときは前記電界通信トランシーバおよびコンピュータの両方と情報を入力する操作キーとを含むかまたはディスプレイ部が前記電界通信トランシーバとコンピュータの両方を含むときには情報を入力する操作キーのみを含み、前記第１の回路要素に接続された第２の回路要素を備えた操作キー部と、前記電界通信トランシーバに接続された第１および第２の送受信電極を備えた第１および第２の送受信電極部と、ディスプレイ部が操作キー部の上側に重なる状態とディスプレイ部が操作キー部の上側から離れてほぼ重ならない状態になるように操作キー部の一端にディスプレイ部の一端を回動自在に連結させる第１の連結手段と、第１および第２の送受信電極部が操作キー部の下側に重なっている状態から第１および第２の送受信電極部が操作キー部の下面に沿って互いに反対方向にスライドして操作キー部の下側から離れてほぼ重ならない状態になるように第１および第２の送受信電極部を操作キー部の下側にスライド自在に連結させる第２の連結手段とを有することを要旨とする。
【００１８】
請求項９記載の本発明の電界通信携帯端末は、送受信データを電界として電界伝達媒体に誘起して通信を行う電界通信携帯端末であって、電界通信を行う電界通信トランシーバおよび情報処理を行うコンピュータのいずれか一方または両方と情報の表示を行うディスプレイとを含むかまたは情報の表示を行うディスプレイのみを含む第１の回路要素を備えたディスプレイ部と、ディスプレイ部が前記電界通信トランシーバを含むときはコンピュータを、前記コンピュータを含むときは電界通信トランシーバを含むと共に情報を入力する操作キーを含むかまたはディスプレイ部が情報の表示を行うディスプレイのみを含むときは前記電界通信トランシーバおよびコンピュータの両方と情報を入力する操作キーとを含むかまたはディスプレイ部が前記電界通信トランシーバとコンピュータの両方を含むときには情報を入力する操作キーのみを含み、前記第１の回路要素に接続された第２の回路要素を備えた操作キー部と、前記電界通信トランシーバに接続された第１および第２の送受信電極を備えた第１および第２の送受信電極部と、ディスプレイ部が操作キー部の上側に重なる状態とディスプレイ部が操作キー部の上側から離れてほぼ重ならない状態になるように操作キー部の一端にディスプレイ部の一端を回動自在に連結させる第１の連結手段と、操作キー部の前記一端を含まない対向する端部の一方に第１の送受信電極部の一端を回動自在に連結し、前記対向する端部の他方に第２の送受信電極部の一端を回動自在に連結し、第１および第２の送受信電極部が操作キー部の下側に重なっている状態から第１および第２の送受信電極部が操作キー部の下側から離れてほぼ重ならない状態になるように操作キー部の前記対向する端部に第１および第２の送受信電極部の一端を回動自在に連結させる第２の連結手段とを有することを要旨とする。
【００１９】
請求項１０記載の本発明の電界通信携帯端末は、送受信データを電界として電界伝達媒体に誘起して通信を行う電界通信携帯端末であって、情報の表示を行うディスプレイおよび情報を入力する入力手段の両方またはいずれか一方と、情報処理を行うコンピュータおよび電界通信を行う電界通信トランシーバを備えるかまたは情報処理を行うコンピュータおよび電界通信を行う電界通信トランシーバのみを備えたディスプレイ兼入力部と、前記電界通信トランシーバに接続された送受信電極を備えた送受信電極部と、送受信電極部がディスプレイ兼入力部の下側に重なっている状態から送受信電極部がディスプレイ兼入力部の下面に沿ってスライドしてディスプレイ兼入力部の下側から離れてほぼ重ならない状態になるように送受信電極部をディスプレイ兼入力部の下側にスライド自在に連結させる連結手段とを有することを要旨とする。
【００２０】
請求項１１記載の本発明の電界通信携帯端末は、送受信データを電界として電界伝達媒体に誘起して通信を行う電界通信携帯端末であって、情報の表示を行うディスプレイおよび情報を入力する入力手段の両方またはいずれか一方と、情報処理を行うコンピュータおよび電界通信を行う電界通信トランシーバを備えるかまたは情報処理を行うコンピュータおよび電界通信を行う電界通信トランシーバのみを備えたディスプレイ兼入力部と、前記電界通信トランシーバに接続された第１および第２の送受信電極を備えた第１および第２の送受信電極部と、第１および第２の送受信電極部がディスプレイ兼入力部の下側に重なっている状態から第１および第２の送受信電極部がディスプレイ兼入力部の下面に沿って互いに反対方向にスライドしてディスプレイ兼入力部の下側から離れてほぼ重ならない状態になるように第１および第２の送受信電極部をディスプレイ兼入力部の下側にスライド自在に連結させる連結手段とを有することを要旨とする。
【００２１】
請求項１２記載の本発明の電界通信携帯端末は、送受信データを電界として電界伝達媒体に誘起して通信を行う電界通信携帯端末であって、情報の表示を行うディスプレイおよび情報を入力する入力手段の両方またはいずれか一方と、情報処理を行うコンピュータおよび電界通信を行う電界通信トランシーバを備えるかまたは情報処理を行うコンピュータおよび電界通信を行う電界通信トランシーバのみを備えたディスプレイ兼入力部と、前記電界通信トランシーバに接続された第１および第２の送受信電極を備えた第１および第２の送受信電極部と、ディスプレイ兼入力部の対向する端部の一方に第１の送受信電極部の一端を回動自在に連結し、前記対向する端部の他方に第２の送受信電極部の一端を回動自在に連結し、第１および第２の送受信電極部がディスプレイ兼入力部の下側に重なっている状態から第１および第２の送受信電極部がディスプレイ兼入力部の下側から離れてほぼ重ならない状態になるようにディスプレイ兼入力部の前記対向する端部に第１および第２の送受信電極部の一端を回動自在に連結させる連結手段とを有することを要旨とする。
【００２２】
請求項１３記載の本発明の電界通信携帯端末は、前記送受信電極部がほぼ重ならない状態になったとき、各回路要素に動作電力を供給すべく投入される電源スイッチを有することを要旨とする。
【００２３】
請求項１４記載の本発明の電界通信携帯端末は、送受信データを電界として電界伝達媒体に誘起して通信を行う電界通信携帯端末であって、情報の表示を行うディスプレイおよび情報を入力する入力手段の両方またはいずれか一方と、情報処理を行うコンピュータおよび電界通信を行う電界通信トランシーバを備えるかまたは情報処理を行うコンピュータおよび電界通信を行う電界通信トランシーバのみを備えたディスプレイ兼入力部と、送受信電極を備えた送受信電極部と、該送受信電極部がディスプレイ兼入力部にほぼ重ならないように送受信電極部をディスプレイ兼入力部に着脱自在に結合することにより送受信電極部の送受信電極を電界通信トランシーバに接続する結合手段とを有することを要旨とする。
【００２４】
請求項１５記載の本発明の電界通信携帯端末は、前記送受信電極部をディスプレイ兼操作キー部に結合したときに、各回路要素に動作電力を供給すべく投入される電源スイッチを有することを要旨とする。
【発明の効果】
【００２５】
本発明によれば、電界通信トランシーバ、コンピュータ、ディスプレイ、操作キーを備えたディスプレイ部および操作キー部と送受信電極を備えた送受信電極部が互いに重なり合った第１の状態から連結支持手段により一端または両端を連結した状態で互いにほぼ重ならない第２の状態に設定されるので、送受信電極部が他と互いに重ならない第２の状態において送受信電極部を利用者が手などで把持して電界通信を行っても、利用者の手などの生体はディスプレイ部、操作キー部に内蔵の電界通信トランシーバ、コンピュータ、ディスプレイなどの各回路要素から離れているため、従来のように回路グランドから逆向きの電界が生体に混入したり、コンピュータ、電界通信トランシーバ、ディスプレイなどの回路要素から発生する不要な電磁波が生体に混入して通信品質が劣化することを抑制し、通信品質を向上することができる。
【００２６】
本発明によれば、ディスプレイと操作キーの両方または一方と、コンピュータ、電界通信トランシーバを備えたディスプレイ兼入力部と送受信電極を備えた送受信電極部が互いに重なり合わせた第１の状態から連結支持手段により一端を連結した状態で互いにほぼ重ならない第２の状態に設定されるので、送受信電極部がディスプレイ兼入力部と互いに重ならない第２の状態において送受信電極部を利用者が手などで把持して電界通信を行っても、利用者の手などの生体はディスプレイ部兼入力部に内蔵の電界通信トランシーバ、コンピュータ、ディスプレイなどの各回路要素から離されているため、従来のように回路グランドから逆向きの電界が生体に混入したり、コンピュータ、電界通信トランシーバ、ディスプレイなどの回路要素から発生する不要な電磁波が生体に混入して通信品質が劣化することを抑制し、通信品質を向上することができる。
【００２７】
本発明によれば、操作キー部の上側にディスプレイ部が重なり、操作キー部の下側に送受信電極部が重なるように各部が互いに重なり合った同じ側の端部に設けた連結支持手段によりディスプレイ部、操作キー部および送受信電極部が互いにほぼ重ならない状態に移動し得るので、送受信電極部が他と互いに重ならない状態において送受信電極部を利用者が手などで把持して電界通信を行っても、利用者の手などの生体はディスプレイ部、操作キー部に内蔵の電界通信トランシーバ、コンピュータ、ディスプレイなどの各開路要素から離されているため、従来のように回路グランドから逆向きの電界が生体に混入したり、コンピュータ、電界通信トランシーバ、ディスプレイなどの回路要素から発生する不要な電磁波が生体に混入して通信品質が劣化することを抑制し、通信品質を向上することができる。
【００２８】
本発明によれば、ディスプレイ部が操作キー部の上側に重なったり、ほぼ重ならない状態になるように操作キー部の一端にディスプレイ部の一端を回動自在に連結させ、送受信電極部が操作キー部の下側に重なったり、ほぼ重ならない状態になるように操作キー部の他端に操作キー部の一端を回動自在に連結させるので、送受信電極部が他と互いに重ならない状態において送受信電極部を利用者が手などで把持して電界通信を行っても、利用者の手などの生体はディスプレイ部、操作キー部に内蔵の電界通信トランシーバ、コンピュータ、ディスプレイなどの各回路要素から離されているため、従来のように回路グランドから逆向きの電界が生体に混入したり、コンピュータ、電界通信トランシーバ、ディスプレイなどの回路要素から発生する不要な電磁波が生体に混入して通信品質が劣化することを抑制し、通信品質を向上することができる。
【００２９】
本発明によれば、ディスプレイ部が操作キー部の上側に重なったり、ほぼ重ならない状態になるように操作キー部の一端にディスプレイ部の一端を回動自在に連結させ、送受信電極部が操作キー部の下側に重なっている状態から操作キー部の下面に沿ってスライドしてほぼ重ならない状態になるように送受信電極部を操作キー部の下側にスライド自在に連結させるので、送受信電極部が操作キー部の下面に沿ってスライドしてほぼ重ならない状態において送受信電極部を利用者が手などで把持して電界通信を行っても、利用者の手などの生体はディスプレイ部、操作キー部に内蔵の電界通信トランシーバ、コンピュータ、ディスプレイなどの各回路要素から離されているため、従来のように回路グランドから逆向きの電界が生体に混入したり、コンピュータ、電界通信トランシーバ、ディスプレイなどの回路要素から発生する不要な電磁波が生体に混入して通信品質が劣化することを抑制し、通信品質を向上することができる。
【００３０】
本発明によれば、ディスプレイ部が操作キー部の上側に重なったり、ほぼ重ならないように操作キー部の一端にディスプレイ部の一端を回動自在に連結させ、第１、第２の送受信電極部が操作キー部の下側に重なっている状態から操作キー部の下面に沿って互いに反対方向にスライドしてほぼ重ならない状態になるように第１、第２の送受信電極部を操作キー部の下側にスライド自在に連結させるので、第１、第２の送受信電極部が操作キー部の下面に沿って互いに反対方向にスライドしてほぼ重ならない状態において送受信電極部を利用者が手などで把持して電界通信を行っても、利用者の手などの生体はディスプレイ部、操作キー部に内蔵の電界通信トランシーバ、コンピュータ、ディスプレイなどの各回路要素から離されているため、従来のように回路グランドから逆向きの電界が生体に混入したり、コンピュータ、電界通信トランシーバ、ディスプレイなどの回路要素から発生する不要な電磁波が生体に混入して通信品質が劣化することを抑制し、通信品質を向上することができる。
【００３１】
本発明によれば、ディスプレイ部が操作キー部の上側に重なったり、ほぼ重ならない状態になるように操作キー部の一端にディスプレイ部の一端を回動自在に連結させ、操作キー部の前記一端を含まない対向する端部の一方に第１の送受信電極部の一端を回動自在に連結し、前記対向する端部の他方に第２の送受信電極部の一端を回動自在に連結し、第１、第２の送受信電極部が操作キー部の下側に重なったり、ほぼ重ならない状態になるように操作キー部の対向する端部に第１、第２の送受信電極部の一端を回動自在に連結させるので、第１、第２の送受信電極部を回動させて他とほぼ重ならない状態において第１、第２の送受信電極部を利用者が手などで把持して電界通信を行っても、利用者の手などの生体はディスプレイ部、操作キー部に内蔵の電界通信トランシーバ、コンピュータ、ディスプレイなどの回路要素から離されているため、従来のように回路グランドから逆向きの電界が生体に混入したり、コンピュータ、電界通信トランシーバ、ディスプレイなどの回路要素から発生する不要な電磁波が生体に混入して通信品質が劣化することを抑制し、通信品質を向上することができる。
【００３２】
本発明によれば、送受信電極部がディスプレイ兼入力部の下側に重なった状態からスライドしてほぼ重ならない状態になるように送受信電極部をディスプレイ兼入力部の下側にスライド自在に連結させるので、送受信電極部をディスプレイ兼入力部の下面に沿ってスライドさせほぼ重ならない状態において送受信電極部を利用者が手などで把持して電界通信を行っても、利用者の手などの生体はディスプレイ兼入力部に内蔵の電界通信トランシーバ、コンピュータ、ディスプレイなどの各回路要素から離されているため、従来のように回路グランドから逆向きの電界が生体に混入したり、コンピュータ、電界通信トランシーバ、ディスプレイなどの回路要素から発生する不要な電磁波が生体に混入して通信品質が劣化することを抑制し、通信品質を向上することができる。
【００３３】
本発明によれば、第１、第２の送受信電極部がディスプレイ兼入力部の下側に重なっている状態からディスプレイ兼入力部の下面に沿って互いに反対方向にスライドしてほぼ重ならない状態になるように第１、第２の送受信電極部をディスプレイ兼入力部の下側にスライド自在に連結させるので、第１、第２の送受信電極部をディスプレイ兼入力部の下面に沿ってスライドさせほぼ重ならない状態において第１、第２の送受信電極部を利用者が手などで把持して電界通信を行っても、利用者の手などの生体はディスプレイ兼入力部に内蔵の電界通信トランシーバ、コンピュータ、ディスプレイなどの各回路要素から離されているため、従来のように回路グランドから逆向きの電界が生体に混入したり、コンピュータ、電界通信トランシーバ、ディスプレイなどの回路要素から発生する不要な電磁波が生体に混入して通信品質が劣化することを抑制し、通信品質を向上することができる。
【００３４】
本発明によれば、ディスプレイ兼入力部の対向する端部に第１、第２の送受信電極部の一端を回動自在に連結し、第１、第２の送受信電極部がディスプレイ兼入力部の下側に重なっている状態からほぼ重ならない状態になるようにディスプレイ兼入力部の対向する端部に第１、第２の送受信電極部の一端を回動自在に連結させるので、第１、第２の送受信電極部をディスプレイ兼入力部の下面にほぼ重ならない状態において第１、第２の送受信電極部を利用者が手などで把持して電界通信を行っても、利用者の手などの生体はディスプレイ部兼入力部に内蔵の電界通信トランシーバ、コンピュータ、ディスプレイなどの各回路要素から離されているため、従来のように回路グランドから逆向きの電界が生体に混入したり、コンピュータ、電界通信トランシーバ、ディスプレイなどの回路要素から発生する不要な電磁波が生体に混入して通信品質が劣化することを抑制し、通信品質を向上することができる。
【００３５】
本発明によれば、送受信電極部がほぼ重ならない状態になったとき、電源スイッチが投入され、各回路要素に動作電力が供給されるので、送受信電極部が他と重なって使用されない状態では電源が供給されず、低消費電力化を図ることができる。
【００３６】
本発明によれば、送受信電極部はディスプレイ兼入力部に対して着脱自在であり、この送受信電極部をディスプレイ兼入力部にほぼ重ならないように結合することにより送受信電極部の送受信電極は電界通信トランシーバに接続されるので、送受信電極部をディスプレイ兼入力部にほぼ重ならないように結合した状態において送受信電極部を利用者が手などで把持して電界通信を行っても、利用者の手などの生体はディスプレイ兼入力部に内蔵の電界通信トランシーバ、コンピュータ、ディスプレイなどの各回路要素から離されているため、従来のように回路グランドから逆向きの電界が生体に混入したり、コンピュータ、電界通信トランシーバ、ディスプレイなどの回路要素から発生する不要な電磁波が生体に混入して通信品質が劣化することを抑制し、通信品質を向上することができる。
【００３７】
本発明によれば、送受信電極部をディスプレイ兼入力部に結合したときに、電源スイッチが投入され、各回路要素に動作電力が供給されるので、送受信電極部が結合されない状態では電源が供給されず、低消費電力化を図ることができる。
【発明を実施するための最良の形態】
【００３８】
以下、図面を用いて、本発明を実施するための最良の形態（以下、実施形態と称する）を説明する。
【００３９】
図１（ａ）、（ｂ）は、それぞれ本発明の第１の実施形態に係わる電界通信携帯端末の構成を示す斜視図および側面図である。同図に示す実施形態の電界通信携帯端末１は、例えば携帯電話やゲーム機などに電界通信機能を適用したものであり、利用者の手などに持って容易に操作できるように構成されている。
【００４０】
図１に示す電界通信携帯端末１は、情報の表示を行うディスプレイ３を備えたディスプレイ部５と、情報を入力する操作キー７を備えた操作キー部９と、後述する送受信電極部を備えた送受信電極部１１と、これらのディスプレイ部５、操作キー部９および送受信電極部１１をそれぞれの一端を中心に回動自在に連結する回転軸１３とから構成されている。なお、回動とは、回転軸などを中心に角度的または部分的に両方向に回転する動作を意味する。
【００４１】
電界通信携帯端末１は、ディスプレイ部５、操作キー部９および送受信電極部１１が回転軸１３を中心に回動して、図１（ｂ）に示すように互いに重なり合わせた第１の状態に設定し得るとともに、この第１の状態からディスプレイ部５、操作キー部９および送受信電極部１１をそれぞれ回転軸１３を中心に回動させて、すなわちディスプレイ部５を矢印３１で示すように回転軸１３を中心に回動させるとともに、送受信電極部１１を矢印３２で示すように回転軸１３を中心に回動させて、互いに重ならない第２の状態に設定し得るようになっていて、この場合において回転軸１３はディスプレイ部５、操作キー部９および送受信電極部１１を連結的に支持する連結支持手段を構成している。
【００４２】
図２は、図１に示す電界通信携帯端末１の回路構成を示す図である。同図に示すように、ディスプレイ部５は、情報の表示を行う前記ディスプレイ３とこのディスプレイ３に接続され、情報処理を行うコンピュータ２１を有し、操作キー部９は、コンピュータ２１に接続され、情報を入力する前記操作キー７およびコンピュータ２１に接続され、電界通信を行う電界通信トランシーバ２３を有し、送受信電極部１１は、電界通信トランシーバ２３に接続され、絶縁フィルム２５で覆われた送受信電極１４を有する。
【００４３】
このように構成される電界通信携帯端末１を利用者が操作するには、図１（ａ）に示すように、ディスプレイ部５、操作キー部９および送受信電極部１１が互いに重ならない第２の状態に設定されることで、図１（ａ）において下方に延出した送受信電極部１１を利用者の手などで把持しながら電界通信携帯端末１を操作する。
【００４４】
このように利用者の手などで電界通信携帯端末１の送受信電極部１１を把持すると、コンピュータ２１からの送信データは電界通信トランシーバ２３から送受信電極１４を介して送受信電極１４に接触している電界伝達媒体である利用者の手などに電界として誘起されて伝達され、また利用者の他の部位に誘起され手などに伝達されてくる電界を送受信電極１４を介して電界通信トランシーバ２３で受信しコンピュータ２１に受信データとして供給するということにより電界通信携帯端末１は電界通信を行うようになっている。
【００４５】
電界通信トランシーバ２３は、このような電界通信をレーザ光と電気光学結晶を用いた電気光学的手法により行うが、詳しくは、図３に示すように、コンピュータ２１からのデータを入力し、該コンピュータ２１にデータを出力する入出力（Ｉ／Ｏ）回路１０１と、この入出力回路１０１からのデータを受け取り、このデータを送信すべく該データに基づく電界を送受信電極１４、絶縁フィルム２５を介して利用者の手などの生体１００に誘起する送信回路１０３と、生体の他の部位に誘起された電界を絶縁フィルム２５、送受信電極１４を介して受信し、電気信号のデータとして出力する電界検出光学部１０５と、この電界検出光学部１０５から出力される電気信号のデータを増幅するとともに雑音除去などの信号を処理して出力する信号処理回路１０７と、この信号処理回路１０７の出力信号に対して波形整形などを施し入出力回路１０１を介してコンピュータ５３に供給する波形整形回路１０９とを有する。
【００４６】
電界通信トランシーバ２３を構成する前記電界検出光学部１０５は、生体１００に誘起されて伝達され、絶縁フィルム２５、送受信電極１４を介して結合される電界をレーザ光と電気光学結晶を用いた電気光学的手法により検知し、電気信号のデータに変換して信号処理回路１０７に出力するように機能するものであり、詳しくは図４に示すように、レーザダイオード２２１および電気光学結晶からなる電気光学素子２０１を有する。電気光学素子２０１は、レーザダイオード２２１からのレーザ光の進行方向に対して例えば直角方向に結合される電界にのみ感度を有し、この電界強度によって光学特性、すなわち複屈折率が変化し、この複屈折率の変化によりレーザ光の偏光が変化するようになっている。
【００４７】
電気光学素子２０１の図上で上下方向に対向する両側面には第１および第２の電極２０３、２０５が設けられ、第１の電極２０３には前記送受信電極１４が接続され、第２の電極２０５にはグランド電極２０７が接続されている。送受信電極１４は、生体１００に誘起されて伝達されてくる電界を検知すると、この電界を第１の電極２０３に伝達し、第１の電極２０３を介して電気光学素子２０１に結合するようになっている。
【００４８】
レーザダイオード２２１から出力されるレーザ光は、コリメートレンズ２２３を介して平行光にされ、平行光となったレーザ光は第１の波長板２１１で偏光状態を調整されて電気光学素子２０１に入射する。電気光学素子２０１に入射したレーザ光は、電気光学素子２０１内で第１、第２の電極２０３、２０５の間を伝播するが、このレーザ光の伝播中において送受信電極１４が人体に誘起されて伝達されてくる電界を検出し、この電界を第１の電極２０３を介して電気光学素子２０１に結合すると、この電界は第１の電極２０３からグランド電極２０７に接続されている第２の電極２０５に向かって形成され、レーザダイオード２２１から電気光学素子２０１に入射したレーザ光の進行方向に直角であるため、電気光学素子２０１の光学特性である複屈折率が変化し、これによりレーザ光の偏光が変化する。
【００４９】
このように電気光学素子２０１において第１の電極２０３からの電界によって偏光が変化したレーザ光は、第２の波長板２１３で偏光状態を調整されて偏光ビームスプリッタ２１５に入射する。偏光ビームスプリッタ２１５は、第２の波長板２１３から入射されたレーザ光をＰ波およびＳ波に分離して、光の強度変化に変換する。この偏光ビームスプリッタ２１５でＰ波成分およびＳ波成分に分離されたレーザ光は、それぞれ第１、第２の集光レンズ２２５、２３１で集光されてから、第１、第２のフォトダイオード２２７、２３３に供給され、第１、第２のフォトダイオード２２７、２３３においてＰ波光信号とＳ波光信号をそれぞれの電気信号に変換して出力する。
【００５０】
第１、第２のフォトダイオード２２７、２３３から出力される電気信号は、電界通信トランシーバ２３の信号処理回路１０７で増幅、雑音除去などの信号処理を施され、波形整形回路１０９で波形整形されてから、入出力回路１０１を介してコンピュータ２１に供給される。
【００５１】
図５は、図１に示す電界通信携帯端末１に設けられている電源スイッチを構成する押ボタンスイッチの取付構造を示す電界通信携帯端末の側面図である。
【００５２】
図５に示すように、電源スイッチを構成する押しボタンスイッチ２９は、操作キー部９の一方の面である下面に設けられ、送受信電極部１１が同図に示すように回転軸１３を中心に回動されて下方に操作されるなどして操作キー部９から離れて重ならない状態になると、押ボタンスイッチ２９は同図に示すように突出するように作動して、その接点が閉じ、また図１（ｂ）に示すように少なくとも操作キー部９および送受信電極部１１が互いに重なって、送受信電極部１１が操作キー部９に押し付けられると、図５に示すように操作キー部９の下面に突出していた押ボタンスイッチ２９は送受信電極部１１で押されて引っ込み、その接点が開くように構成されている。
【００５３】
従って、図１（ｂ）に示すように、ディスプレイ部５、操作キー部９および送受信電極部１１が互いに重なって閉じていて、少くとも操作キー部９の下面に送受信電極部１１が接触している状態では、押ボタンスイッチ２９は、その接点が開き、図示しない電源を構成するバッテリからの電力はディスプレイ３、コンピュータ２１、電界通信トランシーバ２３などの各回路要素に供給されないようになっているが、送受信電極部１１が図５または図１（ａ）に示すように操作キー部９から離れて重ならない状態になると、押ボタンスイッチ２９は図５に示すように突出して、その接点が閉じ、バッテリからの電力はディスプレイ３、コンピュータ２１、電界通信トランシーバ２３などの各回路要素に供給され、各回路要素は作動することができる。
【００５４】
すなわち、送受信電極部１１を図５又は図１（ａ）に示すように開くと、押ボタンスイッチ２９は接点が閉じ、動作電力が各回路要素に供給されて作動し、送受信電極部１１を図１（ｂ）に示すように閉じると、押ボタンスイッチ２９は接点が開き、動作電力が各回路要素に供給されないようになっている。
【００５５】
以上のように構成される本実施形態の電界通信携帯端末１は、その使用状態では、図１（ａ）に示すように、ディスプレイ部５を矢印３１で示すように回転軸１３を中心に回動させて開き、更に送受信電極部１１を矢印３２で示すように回転軸１３を中心に回動させ開いてから、送受信電極部１１を利用者の手などで把持するが、このような状態では、送受信電極部１１はディスプレイ部５および操作キー７から離された状態に設定される。
【００５６】
このように送受信電極部１１がディスプレイ部５や操作キー７から離された使用状態では、送受信電極部１１を把持する利用者の手などの生体は、本電界通信携帯端末１を構成すべくディスプレイ部５や操作キー７に内蔵されているディスプレイ３、コンピュータ２１、電界通信トランシーバ２３などの各回路要素から離されているため、従来のように回路グランドから逆向きの電界が生体に混入したり、コンピュータ２１、電界通信トランシーバ２３、ディスプレイ３などの回路要素から発生する不要な電磁波が生体に混入して通信品質が劣化することを抑制することができる。
【００５７】
また、本実施形態の電界通信携帯端末では、送受信電極部１１を開いた時のみ、押ボタンスイッチ２９の接点が閉じて動作電力が回路要素に供給され、送受信電極部１１を閉じて使用しない時には、押ボタンスイッチ２９の接点が閉じて動作電力が回路要素に供給されないため、低消費電力化を図ることができる。
【００５８】
図６（ａ）、（ｂ）は、本発明の第２の実施形態に係わる電界通信携帯端末の構成を示す斜視図および側面図である。
【００５９】
同図に示す第２の実施形態の電界通信携帯端末１０は、図１に示した第１の実施形態において回転軸１３の代わりにディスプレイ部５と操作キー部９との間に第１回転軸３３を設けるとともに、また操作キー部９と送受信電極部１１との間に第２回転軸３３を設けた点が異なるものであり、その他の構成および作用は同じであり、同じ構成要素には同じ符号を付している。すなわち、本実施形態のディスプレイ部５および操作キー７も第１の実施形態と同様にディスプレイ部５にはディスプレイ３、コンピュータ２１が設けられ、操作キー部９には操作キー７および電界通信トランシーバ２３が設けられているものである。
【００６０】
更に詳しくは、ディスプレイ部５の一端と操作キー部９の一端との間に第１回転軸３１を設けて、ディスプレイ部５を操作キー部９に対して回動自在に連結するとともに、操作キー部９の他端と送受信電極部１１との一端との間に第２回転軸３３を設けて、送受信電極部１１を操作キー部９に対して回動自在に連結したものである。
【００６１】
本実施形態の電界通信携帯端末１０は、図６（ｂ）に示すように、ディスプレイ部５、操作キー部９および送受信電極部１１を互いに重なり合わせた状態が使用していない第１の状態であり、この第１の状態から図６（ａ）に示すようにディスプレイ部５を矢印３７で示すように第１回転軸３１を中心に回動させて操作キー部９から離し、更に送受信電極部１１を矢印３８で示すように第２回転軸３３を中心に回動させて操作キー部９から離すことにより、ディスプレイ部５、操作キー部９および送受信電極部１１が開き互いに重ならない第２の状態に設定することにより、電源が投入され、操作可能状態になる。
【００６２】
このように第２の状態に設定されて、ディスプレイ部５、操作キー部９および送受信電極部１１が開いた後、利用者は、手などで送受信電極部１１を把持することにより、電界通信携帯端末１０を使用して電界通信を行うことができるようになる。
【００６３】
このような使用状態では、送受信電極部１１はディスプレイ部５および操作キー７から離れていて、送受信電極部１１を把持する利用者の手などの生体は、ディスプレイ部５や操作キー７に内蔵されているディスプレイ３、コンピュータ２１、電界通信トランシーバ２３などの各回路要素から離されているため、従来のように回路グランドから逆向きの電界が生体に混入したり、コンピュータ２１、電界通信トランシーバ２３、ディスプレイ３などの回路要素から発生する不要な電磁波が生体に混入して通信品質が劣化することを抑制することができる。なお、上述した第１、第２の実施形態では、回転軸を用いているが、この回転軸の代わりに蝶番などを用いてもよいものである。
【００６４】
図７（ａ）、（ｂ）は、本発明の第３の実施形態に係わる電界通信携帯端末の構成を示す斜視図および側面図である。
【００６５】
同図に示す第３の実施形態の電界通信携帯端末２０は、図１に示した第１の実施形態における回転軸１３の代わりに図７（ｂ）に示すようにディスプレイ部５、操作キー部９および送受信電極部１１を一端において貫通する回転軸３９を用い、この回転軸３９を中心に図７（ａ）に示すように水平方向に回動して、ディスプレイ部５、操作キー部９および送受信電極部１１をそれぞれ互いにほぼ重ならないように開くように構成した点が異なるものであり、その他の構成および作用は同じであり、同じ構成要素には同じ符号を付している。すなわち、本実施形態のディスプレイ部５および操作キー７も第１の実施形態と同様にディスプレイ部５にはディスプレイ３、コンピュータ２１が設けられ、操作キー部９には操作キー７および電界通信トランシーバ２３が設けられているものである。
【００６６】
すなわち、図７（ｂ）に示すように、ディスプレイ部５、操作キー部９および送受信電極部１１の各一端を貫通するように回転軸３９を設け、本電界通信携帯端末２０を使用しない場合には、ディスプレイ部５、操作キー部９および送受信電極部１１は図７（ｂ）に示すように互いに重なり合って閉じているが、電界通信携帯端末２０を使用する場合には、図７（ａ）に示すように、ディスプレイ部５を矢印４２で示すように回転軸３９を中心に水平方向に回動させて操作キー部９から離すように開き、それから送受信電極部１１を矢印４１で示すように回転軸３９を中心に水平方向に回動させて操作キー部９から離すように開き、これによりディスプレイ部５、操作キー部９および送受信電極部１１が互いにほぼ重ならず開いた状態にする。なお、このようにディスプレイ部５、操作キー部９および送受信電極部１１が開いた状態になると、この動作に連動して図示しない電源スイッチがオンとなり、ディスプレイ部５、操作キー部９の各回路要素に動作電源が供給され、作動状態になる。
【００６７】
そして、このようにディスプレイ部５、操作キー部９および送受信電極部１１が互いに重ならず開き、各回路要素に動作電源が供給された状態において、利用者は手などで送受信電極部１１を把持することにより、電界通信携帯端末２０を使用して電界通信を行うことができるようになる。
【００６８】
このような使用状態では、送受信電極部１１はディスプレイ部５および操作キー７から離れていて、送受信電極部１１を把持する利用者の手などの生体は、ディスプレイ部５や操作キー７に内蔵されているディスプレイ３、コンピュータ２１、電界通信トランシーバ２３などの各回路要素から離されているため、回路グランドから逆向きの電界が生体に混入したり、コンピュータ２１、電界通信トランシーバ２３、ディスプレイ３などの回路要素から発生する不要な電磁波が生体に混入して通信品質が劣化することなく、通信品質を向上することができる。
【００６９】
図８（ａ）、（ｂ）は、本発明の第４の実施形態に係わる電界通信携帯端末の構成を示す斜視図および側面図である。
【００７０】
同図に示す第４の実施形態の電界通信携帯端末３０は、図７に示した第３の実施形態における回転軸３９の代わりにディスプレイ部５と操作キー部９の一端を貫通して両者を回動自在に連結する第１回転軸４３と、操作キー部９と送受信電極部１１の一端を貫通して両者を回動自在に連結する第２回転軸４４とを設けた点が異なるのみであり、その他の構成および作用は同じであり、同じ構成要素には同じ符号を付している。すなわち、本実施形態のディスプレイ部５および操作キー７も第１の実施形態と同様にディスプレイ部５にはディスプレイ３、コンピュータ２１が設けられ、操作キー部９には操作キー７および電界通信トランシーバ２３が設けられているものである。
【００７１】
すなわち、図８（ａ）、（ｂ）に示すように、ディスプレイ部５と操作キー部９の一端を貫通する第１回転軸４３と、操作キー部９と送受信電極部１１の一端を貫通する第２回転軸４４とを設け、本電界通信携帯端末３０を使用しない場合には、ディスプレイ部５、操作キー部９および送受信電極部１１は図８（ｂ）に示すように互いに重なり合って閉じているが、電界通信携帯端末３０を使用する場合には、図８（ａ）に示すように、ディスプレイ部５を矢印４８で示すように第１回転軸４３を中心に水平回動させて操作キー部９から離すように開き、それから送受信電極部１１を矢印４７で示すように第２回転軸４４を中心に水平方向に回動させて操作キー部９から離すように開き、これによりディスプレイ部５、操作キー部９および送受信電極部１１が互いにほぼ重ならず開いた状態にする。なお、このようにディスプレイ部５、操作キー部９および送受信電極部１１または少なくとも送受信電極部１１が開いた状態になると、この動作に連動して図示しない電源スイッチがオンとなり、ディスプレイ部５、操作キー部９の各回路要素に動作電源が供給され、作動状態になる。
【００７２】
そして、このようにディスプレイ部５、操作キー部９および送受信電極部１１が互いに重ならず開き、各回路要素に動作電源が供給された状態において、利用者の手などで送受信電極部１１を把持することにより、電界通信携帯端末３０を使用して電界通信を行うことができるようになる。
【００７３】
このような使用状態では、送受信電極部１１はディスプレイ部５および操作キー７から離れていて、送受信電極部１１を把持する利用者の手などの生体は、ディスプレイ部５や操作キー７に内蔵されているディスプレイ３、コンピュータ２１、電界通信トランシーバ２３などの各回路要素から離されているため、回路グランドから逆向きの電界が生体に混入したり、コンピュータ２１、電界通信トランシーバ２３、ディスプレイ３などの回路要素から発生する不要な電磁波が生体に混入して通信品質が劣化することなく、通信品質を向上することができる。
【００７４】
図９（ａ）、（ｂ）は、本発明の第５の実施形態に係わる電界通信携帯端末の構成を示す斜視図である。
【００７５】
同図に示す第５の実施形態の電界通信携帯端末４０は、図８に示した第４の実施形態においてディスプレイ部５と操作キー部９を１個のモジュールであるディスプレイ兼操作キー部５１として一体的に構成するとともに、このディスプレイ兼操作キー部５１の下側に送受信電極部１１をスライド自在に連結するように構成した点が異なるのみであり、その他の構成および作用は同じであり、同じ構成要素には同じ符号を付されている。すなわち、ディスプレイ兼操作キー部５１は、図２で説明したように、ディスプレイ部５に設けられているディスプレイ３、コンピュータ２１および操作キー部９に設けられている操作キー部９、電界通信トランシーバ２３を内蔵しているものである。
【００７６】
図９に示す電界通信携帯端末４０は、一体的に構成されたディスプレイ兼操作キー部５１の下側に送受信電極部１１をスライド自在に連結し、図９（ａ）に示す状態では、送受信電極部１１は、ディスプレイ兼操作キー部５１の下側に位置していて、この状態では、電界通信携帯端末４０は動作しないようになっているが、図９（ｂ）に示すように、送受信電極部１１を矢印４９で示す方向にディスプレイ兼操作キー部５１の下面に沿ってスライドさせ、ディスプレイ兼操作キー部５１の下側から離れてほぼ重ならない状態になると、この動作に連動して図示しない電源スイッチがオンとなり、ディスプレイ部５、操作キー部９の各回路要素に動作電源が供給され、作動状態になる。
【００７７】
すなわち、本実施形態の電界通信携帯端末４０は、送受信電極部１１がディスプレイ兼操作キー部５１の下側に重なっている状態から送受信電極部１１がディスプレイ兼操作キー部５１の下面に沿ってスライドしてディスプレイ兼操作キー部５１の下側から離れてほぼ重ならない状態になるように送受信電極部１１をディスプレイ兼操作キー部５１の下側にスライド自在に連結させるスライド式の連結手段を備えているものである。このスライド式の連結手段とは、例えばディスプレイ兼操作キー部５１または送受信電極部１１のいずれか一方に溝を形成し、この溝に嵌合するレールなどを他方に形成することにより構成し得るものである。
【００７８】
上述したように、図９（ａ）に示すように互いに重なり合った状態から送受信電極部１１をディスプレイ兼操作キー部５１の下側で矢印４９で示すようにスライドさせて、送受信電極部１１をディスプレイ兼操作キー部５１の下側から離してほぼ重ならない状態で各回路要素に動作電源が供給された状態において、利用者が手などで送受信電極部１１を把持することにより、電界通信携帯端末４０を使用して電界通信を行うことができるようになる。
【００７９】
このような使用状態では、送受信電極部１１はディスプレイ兼操作キー部５１から離れていて、送受信電極部１１を把持する利用者の手などの生体は、ディスプレイ兼操作キー部５１に内蔵されているディスプレイ３、コンピュータ２１、電界通信トランシーバ２３などの各回路要素から離されているため、回路グランドから逆向きの電界が生体に混入したり、コンピュータ２１、電界通信トランシーバ２３、ディスプレイ３などの回路要素から発生する不要な電磁波が生体に混入して通信品質が劣化することなく、通信品質を向上することができる。
【００８０】
図１０（ａ）、（ｂ）は、本発明の第６の実施形態に係わる電界通信携帯端末の構成を示す斜視図である。
【００８１】
同図に示す第６の実施形態の電界通信携帯端末５０は、図９に示した第５の実施形態において送受信電極部１１をディスプレイ兼操作キー部５１の下側にスライド自在に連結している連結手段のスライド方向が矢印５３で示すように第５の実施形態の場合に対して直交方向になっている点が異なるのみであり、その他の構成および作用は同じである。
【００８２】
このように構成される電界通信携帯端末５０において、図１０（ａ）に示すように互いに重なり合った状態から送受信電極部１１をディスプレイ兼操作キー部５１の下側で矢印５３で示すようにスライドさせて、送受信電極部１１をディスプレイ兼操作キー部５１の下側から離してほぼ重ならない状態で各回路要素に動作電源が供給された状態において、利用者が図で左方向にスライドして延出した送受信電極部１１を例えば左手などで把持することにより、電界通信携帯端末５０を使用して電界通信を行うことができるようになる。
【００８３】
このような使用状態では、送受信電極部１１はディスプレイ兼操作キー部５１から離れていて、送受信電極部１１を把持する利用者の手などの生体は、ディスプレイ兼操作キー部５１に内蔵されているディスプレイ３、コンピュータ２１、電界通信トランシーバ２３などの各回路要素から離されているため、回路グランドから逆向きの電界が生体に混入したり、コンピュータ２１、電界通信トランシーバ２３、ディスプレイ３などの回路要素から発生する不要な電磁波が生体に混入して通信品質が劣化することなく、通信品質を向上することができる。
【００８４】
図１１（ａ）、（ｂ）は、本発明の第７の実施形態に係わる電界通信携帯端末の構成を示す斜視図である。
【００８５】
同図に示す第７の実施形態の電界通信携帯端末６０は、図１０に示した第６の実施形態におけるディスプレイ兼操作キー部５１を少し横幅の大きなディスプレイ兼操作キー部５５にするとともに、送受信電極部１１を第１、第２の送受信電極部１１ａ、１１ｂなる２個の送受信電極部にし、この第１、第２の送受信電極部１１ａ、１１ｂを図１１（ａ）に示すようにディスプレイ兼操作キー部５５の下側に並べて重なるように配置し、また図１１（ｂ）において矢印５７、５８で示すように第１、第２の送受信電極部１１ａ、１１ｂをディスプレイ兼操作キー部５１の下側から左右の反対方向にスライドして、ディスプレイ兼操作キー部５５から離れてほぼ重ならないように構成した点が異なるのみであり、その他の構成および作用は同じである。すなわち、ディスプレイ兼操作キー部５５は、上述したと同様に、ディスプレイ部５に設けられているディスプレイ３、コンピュータ２１および操作キー部９に設けられている操作キー部９、電界通信トランシーバ２３を内蔵しているものである。
【００８６】
本実施形態の電界通信携帯端末６０は、第１、第２の送受信電極部１１ａ、１１ｂが図１１（ａ）に示すようにディスプレイ兼操作キー部５５の下側に重なっている状態から第１、第２の送受信電極部１１ａ、１１ｂがディスプレイ兼操作キー部５５の下面に沿って互いに反対方向にスライドしてディスプレイ兼操作キー部５５の下側から離れてほぼ重ならない状態になるように第１、第２の送受信電極部１１ａ、１１ｂをディスプレイ兼操作キー部５５の下側にスライド自在に連結させるスライド式の連結手段を備えているものである。
【００８７】
このように構成される電界通信携帯端末６０において、図１１（ａ）に示すように互いに重なり合った状態から第１、第２の送受信電極部１１ａ、１１ｂをディスプレイ兼操作キー部５５の下側で図１１（ｂ）における矢印５７、５８で示すように左右の反対方向にスライドさせて、第１、第２の送受信電極部１１ａ、１１ｂをディスプレイ兼操作キー部５５の下側から離してほぼ重ならない状態で各回路要素に動作電源が供給された状態において、利用者が図で左右の反対方向にスライドして両方向に延出した第１、第２の送受信電極部１１ａ、１１ｂを例えば両手などで把持することにより、電界通信携帯端末６０を使用して電界通信を行うことができるようになる。
【００８８】
このような使用状態では、第１、第２の送受信電極部１１ａ、１１ｂはディスプレイ兼操作キー部５５から離れていて、第１、第２の送受信電極部１１ａ、１１ｂを把持する利用者の手などの生体は、ディスプレイ兼操作キー部５５に内蔵されているディスプレイ３、コンピュータ２１、電界通信トランシーバ２３などの各回路要素から離されているため、回路グランドから逆向きの電界が生体に混入したり、コンピュータ２１、電界通信トランシーバ２３、ディスプレイ３などの回路要素から発生する不要な電磁波が生体に混入して通信品質が劣化することなく、通信品質を向上することができる。
【００８９】
図１２（ａ）、（ｂ）は、本発明の第８の実施形態に係わる電界通信携帯端末の構成を示す斜視図である。
【００９０】
同図に示す第８の実施形態の電界通信携帯端末６２は、図１１に示した第７の実施形態においてディスプレイ兼操作キー部５５をディスプレイ部５と操作キー部９に分割し、この分割したディスプレイ部５と操作キー部９の一端同士を例えば蝶番などで回動自在に連結し、操作キー部９の下側に第１、第２の送受信電極部１１ａ、１１ｂが重なるように配置した点が異なるのみであり、その他の構成および作用は同じであり、同じ構成要素には同じ符号を付している。なお、ディスプレイ部５は、ディスプレイ３、コンピュータ２１を有し、操作キー部９は、操作キー７、電界通信トランシーバ２３を有している点は同じである。
【００９１】
すなわち、本実施形態の電界通信携帯端末６２は、ディスプレイ部５が操作キー部９の上側に重なる状態とディスプレイ部５が操作キー部９の上側から離れてほぼ重ならない状態になるように操作キー部９の一端にディスプレイ部５の一端を回動自在に連結させる例えば蝶番などからなる第１の連結手段と、第１、第２の送受信電極部１１ａ、１１ｂが操作キー部９の下側に重なっている状態から第１、第２の送受信電極部１１ａ、１１ｂが操作キー部９の下面に沿って互いに反対方向にスライドして操作キー部９の下側から離れてほぼ重ならない状態になるように第１、第２の送受信電極部１１ａ、１１ｂを操作キー部９の下側にスライド自在に連結させる例えば溝とレールなどからなる第２の連結手段とを有する。
【００９２】
このように構成される電界通信携帯端末６２では、図１２（ｂ）に示すようにディスプレイ部５を操作キー部９の上に畳み、第１、第２の送受信電極部１１ａ、１１ｂが操作キー部９の下側に重なって位置付けされ、各部が互いに重なり合った状態から図１２（ａ）において矢印５９で示すようにディスプレイ部５を開いて重ならないようにした後、第１、第２の送受信電極部１１ａ、１１ｂを操作キー部９の下側で矢印５７、５８で示すように左右の反対方向にスライドさせて、第１、第２の送受信電極部１１ａ、１１ｂを操作キー部９の下側から離してほぼ重ならない状態にし、各回路要素に動作電源が供給された状態において、利用者が左右の反対方向にスライドして両方向に延出した第１、第２の送受信電極部１１ａ、１１ｂを例えば両手などで把持することにより、電界通信携帯端末６２を使用して電界通信を行うことができるようになる。
【００９３】
このような使用状態では、第１、第２の送受信電極部１１ａ、１１ｂは操作キー部９およびディスプレイ部５から離れていて、第１、第２の送受信電極部１１ａ、１１ｂを把持する利用者の手などの生体は、操作キー部９、ディスプレイ部５に内蔵されているディスプレイ３、コンピュータ２１、電界通信トランシーバ２３などの各回路要素から離れているため、回路グランドから逆向きの電界が生体に混入したり、コンピュータ２１、電界通信トランシーバ２３、ディスプレイ３などの回路要素から発生する不要な電磁波が生体に混入して通信品質が劣化することなく、通信品質を向上することができる。
【００９４】
図１３（ａ）、（ｂ）は、本発明の第９の実施形態に係わる電界通信携帯端末の構成を示す斜視図である。
【００９５】
同図に示す第９の実施形態の電界通信携帯端末７０は、図１２に示した第８の実施形態において第１、第２の送受信電極部１１ａ、１１ｂの操作キー部９に対する連結をスライド式の連結の代わりに例えば蝶番などを用いて第１、第２の送受信電極部１１ａ、１１ｂのそれぞれの一端を操作キー部９の両端に回動自在に連結した点が異なるのみであり、その他の構成および作用は同じであり、同じ構成要素には同じ符号を付している。
【００９６】
すなわち、本実施形態の電界通信携帯端末７０は、ディスプレイ部５が操作キー部９の上側に重なる状態とディスプレイ部５が操作キー部９の上側から離れてほぼ重ならない状態になるように操作キー部９の一端にディスプレイ部５の一端を回動自在に連結させる例えば蝶番などからなる第１の連結手段と、操作キー部９の前記一端を含まない対向する端部、図では左右の両端部の一方に第１の送受信電極部１１ａの一端を回動自在に連結し、前記対向する端部の他方に第２の送受信電極部１１ｂの一端を回動自在に連結し、第１、第２の送受信電極部１１ａ、１１ｂが操作キー部９の下側に重なっている状態から第１、第２の送受信電極部１１ａ、１１ｂが操作キー部９の下側から離れてほぼ重ならない状態になるように操作キー部９の前記対向する端部に第１、第２の送受信電極部１１ａ、１１ｂの一端を回動自在に連結させる例えば蝶番などからなる第２の連結手段とを有する。
【００９７】
このように構成される電界通信携帯端末７０では、図１３（ｂ）に示すようにディスプレイ部５を操作キー部９の上に畳み、第１、第２の送受信電極部１１ａ、１１ｂも他端で操作キー部９の下側に重なって位置付けされ、各部が互いに重なり合った状態から図１２（ａ）において矢印５９で示すようにディスプレイ部５を開いて重ならないようにした後、第１、第２の送受信電極部１１ａ、１１ｂを操作キー部９の下側から矢印６１、６３で示すようにそれぞれ反対方向に回動させて、第１、第２の送受信電極部１１ａ、１１ｂを操作キー部９の下側から離してほぼ重ならない状態にし、これにより各回路要素に動作電源が供給された状態において、利用者が左右の両方向に延出した第１、第２の送受信電極部１１ａ、１１ｂを例えば両手などで把持することにより、電界通信携帯端末７０を使用して電界通信を行うことができるようになる。
【００９８】
このような使用状態では、第１、第２の送受信電極部１１ａ、１１ｂは操作キー部９およびディスプレイ部５から離れていて、第１、第２の送受信電極部１１ａ、１１ｂを把持する利用者の手などの生体は、操作キー部９、ディスプレイ部５に内蔵されているディスプレイ３、コンピュータ２１、電界通信トランシーバ２３などの各回路要素から離れているため、回路グランドから逆向きの電界が生体に混入したり、コンピュータ２１、電界通信トランシーバ２３、ディスプレイ３などの回路要素から発生する不要な電磁波が生体に混入して通信品質が劣化することなく、通信品質を向上することができる。
【００９９】
図１４（ａ）、（ｂ）は、本発明の第１０の実施形態に係わる電界通信携帯端末の構成を示す斜視図である。
【０１００】
同図に示す第１０の実施形態の電界通信携帯端末８０は、図８に示した第４の実施形態において送受信電極部１１を操作キー部９に対して第２回転軸４４により回動自在に連結する代わりに送受信電極部１１を操作キー部９の下側にスライド自在に連結するように構成した点が異なるのみであり、その他の構成および作用は同じであり、同じ構成要素には同じ符号を付している。
【０１０１】
すなわち、本実施形態の電界通信携帯端末８０は、ディスプレイ部５が図１４（ｂ）に示すように操作キー部９の上側に重なる状態とディスプレイ部５が図１４（ａ）に示すように、操作キー部９の上側から離れてほぼ重ならない状態になるように操作キー部９の一端にディスプレイ部５の一端を水平方向に回動自在に連結させる回転軸４３からなる第１の連結手段と、送受信電極部１１が図１４（ｂ）に示すように操作キー部９の下側に重なっている状態から送受信電極部１１が図１４（ａ）に示すように操作キー部９の下面に沿ってスライドして操作キー部９の下側から離れてほぼ重ならない状態になるように送受信電極部１１を操作キー部９の下側にスライド自在に連結させる例えば溝とレールなどからなる第２の連結手段とを有する。
【０１０２】
このよう送受信電極部１１を操作キー部９の下側にスライドさせて送受信電極部１１を操作キー部９から離し、ディスプレイ部５、操作キー部９および送受信電極部１１が互いに重ならないような状態で、各回路要素に動作電源が供給された状態において、利用者は手などで送受信電極部１１を把持することにより、電界通信携帯端末８０を使用して電界通信を行うことができるようになる。
【０１０３】
このような使用状態では、送受信電極部１１はディスプレイ部５および操作キー７から離れていて、送受信電極部１１を把持する利用者の手などの生体は、ディスプレイ部５や操作キー７に内蔵されているディスプレイ３、コンピュータ２１、電界通信トランシーバ２３などの各回路要素から離されているため、回路グランドから逆向きの電界が生体に混入したり、コンピュータ２１、電界通信トランシーバ２３、ディスプレイ３などの回路要素から発生する不要な電磁波が生体に混入して通信品質が劣化することなく、通信品質が向上することができる。
【０１０４】
図１５（ａ）、（ｂ）は、本発明の第１１の実施形態に係わる電界通信携帯端末の構成を示す斜視図である。
【０１０５】
同図に示す第１１の実施形態の電界通信携帯端末９０は、図１４に示した第１０の実施形態において回転軸４３の代わりに回転軸３１を用い、この回転軸３１を中心にディスプレイ部５を操作キー部９に対して矢印６７で示すように回動させて、ディスプレイ部５を操作キー部９との重なりから離して開くように構成した点が異なるのみであり、その他の構成および作用は同じである。
【０１０６】
図１５に示す第１１の実施形態の電界通信携帯端末９０においては、図１５（ｂ）に示すように、ディスプレイ部５、操作キー部９および送受信電極部１１が閉じて互いに重なり会っている状態からディスプレイ部５を回転軸３１を中心に矢印６７で示すように回動させてディスプレイ部５を操作キー部９から離すように開き、それから送受信電極部１１を操作キー部９の下側にスライドさせて送受信電極部１１を操作キー部９からから引き出すように離すことにより、後述する電源スイッチがオンとなって、各回路要素に動作電源が供給された状態において、利用者は手などで送受信電極部１１を把持することにより、電界通信携帯端末９０を使用して電界通信を行うことができるようになる。
【０１０７】
このような使用状態では、送受信電極部１１はディスプレイ部５および操作キー７から離れていて、送受信電極部１１を把持する利用者の手などの生体は、ディスプレイ部５や操作キー７に内蔵されているディスプレイ３、コンピュータ２１、電界通信トランシーバ２３などの各回路要素から離されているため、回路グランドから逆向きの電界が生体に混入したり、コンピュータ２１、電界通信トランシーバ２３、ディスプレイ３などの回路要素から発生する不要な電磁波が生体に混入して通信品質が劣化することなく、通信品質を向上することができる。
【０１０８】
図１６および図１７は、図１５に示した第１１の実施形態の電界通信携帯端末９０に設けられている電源スイッチを構成する各接点の構成およびその作動状態を示す図である。
【０１０９】
図１６（ａ）に示すように、電界通信携帯端末９０の電源スイッチは、操作キー部９の下面のほぼ中央に設けられている第１、第２接点７１、７２と送受信電極部１１の後端に形成された導電部７５とから構成されている。
【０１１０】
図１６（ｂ）は、図１６（ａ）において矢視Ａを境として操作キー部９側を見た場合の第１、第２接点７１、７２と送受信電極部１１側を見た場合の送受信電極部１１と導電部７５の構成を示す説明図である。なお、本実施形態では、送受信電極部１１は、送受信電極１４が送受信電極部１１の全体にわたって設けられているのではなく、送受信電極１４は第１、第２接点７１、７２よりも先端寄りの半分以下の一部に設けられているものであり、また送受信電極部１１の後端には前記導電部７５が設けられ、送受信電極１４と導電部７５との間は絶縁体からなる絶縁部７３として構成されている。
【０１１１】
このように構成される電源スイッチは、図１６（ａ）に示すようにディスプレイ部５、操作キー部９および送受信電極部１１が閉じて互いに重なった状態では、送受信電極部１１の後端に設けられている導電部７５は、操作キー部９の下面に設けられた第１、第２接点７１、７２から離れた位置にあって両接点を短絡せず、従って電源スイッチはオフ状態にあるが、図１７（ａ）に示すように、送受信電極部１１を矢印１７０で示す方向に操作キー部９の下面に沿ってスライドさせて引き出すと、送受信電極部１１の後端に設けられている導電部７５は、図１７（ａ）、（ｂ）に示すように、操作キー部９の下面のほぼ中央に設けられた第１、第２接点７１、７２の所まで移動し、第１、第２接点７１、７２を電気的に短絡し、これにより電源スイッチをオン状態にする。
【０１１２】
このように導電部７５が第１、第２接点７１、７２を電気的に短絡して電源スイッチがオンになることにより、ディスプレイ３、コンピュータ２１、電界通信トランシーバ２３などの各回路要素に図示しなてバッテリなどから動作電力が供給され、電界通信携帯端末９０は作動することができるようになる。
【０１１３】
図１８（ａ）、（ｂ）は、本発明の第１２の実施形態に係わる電界通信携帯端末の構成を示す側面図および斜視図である。
【０１１４】
同図に示す第１２の実施形態の電界通信携帯端末１３０は、図９に示した第５の実施形態において送受信電極部１１をディスプレイ兼操作キー部５１に連結させず、独立に設け、この独立に設けられた送受信電極部１１をディスプレイ兼操作キー部５１に差し込んで送受信電極部１１をディスプレイ兼操作キー部５１に連結し、送受信電極部１１を電界通信トランシーバ２３に接続するように構成した点が異なるのみであり、その他の構成および作用は同じである。
【０１１５】
この連結は、送受信電極部１１をディスプレイ兼操作キー部５１に対して着脱自在に結合する結合手段で構成されるものであるが、具体的には送受信電極部１１とディスプレイ兼操作キー部５１の対向する端部にコネクタなどを設けることにより容易に実現可能である。また、本実施形態では、送受信電極部１１をディスプレイ兼操作キー部５１に結合した場合に電源スイッチがオンになるように構成することも容易なことである。
【０１１６】
このように構成される電界通信携帯端末１３０においても、送受信電極部１１をディスプレイ兼操作キー部５１に結合するとともに、電源スイッチがオンとなって、各回路要素に動作電源が供給された状態において、利用者は手などで送受信電極部１１を把持することにより、電界通信携帯端末１３０を使用して電界通信を行うことができるようになる。
【０１１７】
このような使用状態では、送受信電極部１１はディスプレイ兼操作キー部５１から離れていて、送受信電極部１１を把持する利用者の手などの生体は、ディスプレイ兼操作キー部５１に内蔵されているディスプレイ３、コンピュータ２１、電界通信トランシーバ２３などの各回路要素から離されているため、回路グランドから逆向きの電界が生体に混入したり、コンピュータ２１、電界通信トランシーバ２３、ディスプレイ３などの回路要素から発生する不要な電磁波が生体に混入して通信品質が劣化することなく、通信品質を向上することができる。
【０１１８】
なお、本発明において、ほぼ重ならない状態またはほぼ重ならず開いた状態とは、例えば図７（ａ）、図９（ａ）などに示すように、ディスプレイ部５、操作キー部９、送受信電極部１１、ディスプレイ兼操作キー部５１などの各部の一部は連結手段などの構造のために部分的に重なっているが、各部の大部分が重なっていない状態であり、具体的には例えば５０％以上重なっていない状態である。
【０１１９】
上記各実施形態では、ディスプレイ部にコンピュータを設け、操作キー部に電界通信トランシーバを設けているが、本発明はこれを限定されるものでなく、逆にしたり、またはコンピュータと電界通信トランシーバの両方をディスプレイ部または操作キー部に設けてもよいものである。また、各電界通信携帯端末は、ディスプレイ部と操作キー部の両方を備えている場合について説明したが、いずれか一方のみを備えているものであってもよいものである。
【０１２０】
更に、上記実施形態では、ディスプレイ兼操作キー部の操作キー部は、各図において丸印で示すなどにより表面的にキーとして現れているものについて説明したが、本発明はこれに限定されるものでなく、例えばディスプレイ部の各画素に対応して感圧素子を備え、ディスプレイ部の表面を利用者が指やペンで押圧した位置を検知し、この検知した位置に対応して表示されている情報を入力したり、またはディスプレイ部の各画素に対応してフォトダイオードなどの光電変換素子を備え、利用者がライトペンなどで指示した位置を検知し、この検知した位置に対応して表示されている情報を入力するなどの入力手段であってもよいことは勿論のことである。
【図面の簡単な説明】
【０１２１】
【図１】本発明の第１の実施形態に係わる電界通信携帯端末の構成を示す斜視図および側面図である。
【図２】図１に示す電界通信携帯端末１の回路構成を示す図である。
【図３】図１に示す実施形態の電界通信携帯端末に使用されている電界通信トランシーバの構成を示すブロック図である。
【図４】図３に示す電界通信トランシーバに使用されている電界検出光学部の構成を示す図である。
【図５】図１に示す電界通信携帯端末に設けられている電源スイッチを構成する押ボタンスイッチの取付構造を示す電界通信携帯端末の側面図である。
【図６】本発明の第２の実施形態に係わる電界通信携帯端末の構成を示す斜視図および側面図である。
【図７】本発明の第３の実施形態に係わる電界通信携帯端末の構成を示す斜視図および側面図である。
【図８】本発明の第４の実施形態に係わる電界通信携帯端末の構成を示す斜視図および側面図である。
【図９】本発明の第５の実施形態に係わる電界通信携帯端末の構成を示す斜視図である。
【図１０】本発明の第６の実施形態に係わる電界通信携帯端末の構成を示す斜視図である。
【図１１】本発明の第７の実施形態に係わる電界通信携帯端末の構成を示す斜視図である。
【図１２】本発明の第８の実施形態に係わる電界通信携帯端末の構成を示す斜視図である。
【図１３】本発明の第９の実施形態に係わる電界通信携帯端末の構成を示す斜視図である。
【図１４】本発明の第１０の実施形態に係わる電界通信携帯端末の構成を示す斜視図および側面図である。
【図１５】本発明の第１１の実施形態に係わる電界通信携帯端末の構成を示す斜視図および側面図である。
【図１６】図１５に示した第１１の実施形態の電界通信携帯端末に設けられている電源スイッチを構成する各接点の構成を示す図である。
【図１７】図１５に示した第１１の実施形態の電界通信携帯端末に設けられている電源スイッチを構成する各接点の作動状態を示す図である。
【図１８】本発明の第１２の実施形態に係わる電界通信携帯端末の構成を示す側面図および斜視図である。
【図１９】生体上電界通信の電界モデルを示す説明図である。
【符号の説明】
【０１２２】
１    電界通信携帯端末
３    ディスプレイ
５    ディスプレイ部
７    操作キー
９    操作キー部
１１、１１ａ、１１ｂ    送受信電極部
１３、３１、３３、３９、４３、４４    回転軸
１４    送受信電極
２１    コンピュータ
２３    電界通信トランシーバ
２５    絶縁フィルム
２９    押ボタンスイッチ
５１    ディスプレイ兼操作キー部
７１、７２    第１、第２接点
７５    導電部
【図１】
2005303922.tif 000003
【図２】
2005303922.tif 000004
【図３】
2005303922.tif 000005
【図４】
2005303922.tif 000006
【図５】
2005303922.tif 000007
【図６】
2005303922.tif 000008
【図７】
2005303922.tif 000009
【図８】
2005303922.tif 000010
【図９】
2005303922.tif 000011
【図１０】
2005303922.tif 000012
【図１１】
2005303922.tif 000013
【図１２】
2005303922.tif 000014
【図１３】
2005303922.tif 000015
【図１４】
2005303922.tif 000016
【図１５】
2005303922.tif 000017
【図１６】
2005303922.tif 000018
【図１７】
2005303922.tif 000019
【図１８】
2005303922.tif 000020
【図１９】
2005303922.tif 000021